(57)【要約】  ユーザの耳に装着して用いられる収音装置を提供する。  収音装置は、収音部と、音響透過部を有し、前記収音部をユーザの外耳道内で保持する保持部を具備する。前記保持部は、前記音響透過部としての開口部を有するリング体と、一端が前記リング体に連結されるとともに他端で前記収音部を支持する１以上のアームからなる。そして、前記リング体は、ユーザの耳甲介腔に挿入され、珠間切痕付近で係止される。また、前記保持部は、マイク孔を外耳道の外側に向け、且つ、マイク孔が外耳道の入り口より奥側となるように前記収音部を保持する。
2018123252.tif 000002
【特許請求の範囲】
【請求項１】
収音部と、
音響透過部を有し、前記収音部をユーザの外耳道内で保持する保持部と、
を具備する収音装置。
【請求項２】
前記保持部は、前記音響透過部としての開口部を有するリング体と、一端が前記リング体に連結されるとともに他端で前記収音部を支持する１以上のアームからなる、
請求項１に記載の収音装置。
【請求項３】
前記リング体は、ユーザの耳甲介腔に挿入され、珠間切痕付近で係止される、
請求項２に記載の収音装置。
【請求項４】
前記保持部は、前記音響透過部としての通気部を有する弾性部材からなる、
請求項１に記載の収音装置。
【請求項５】
前記保持部は、前記音響透過部としての開口部を有する星状体と、一端が前記星状体に連結されるとともに他端で前記収音部を支持する１以上のアームからなる、
請求項１に記載の収音装置。
【請求項６】
前記保持部は、マイク孔を外耳道の外側に向けて前記収音部を保持する、
請求項１に記載の収音装置。
【請求項７】
前記保持部は、マイク孔が外耳道の入り口より奥側となるように前記収音部を保持する、
請求項１に記載の収音装置。
【請求項８】
音響出力部をさらに備える、
請求項１に記載の収音装置。
【請求項９】
前記収音装置をユーザの耳に装着したときに、前記音響出力部の音響出力孔と前記収音部の収音孔との相対位置は一定に保たれる、
請求項８に記載の収音装置。
【請求項１０】
前記収音装置をユーザの耳に装着したときに、前記音響出力部の音響出力孔は前記収音部の収音孔よりも耳穴の外側に配置される、
請求項８に記載の収音装置。
【請求項１１】
前記音響出力部は、音響発生部と、前記音響発生部が発生する音響を一端から取り込んで他端まで伝搬する中空構造の音導部を備える、
請求項８に記載の収音装置。
【請求項１２】
前記音響発生部はユーザの耳の背面に配設され、
前記音導部の前記一端は前記音響発生部に接続され、
前記音導部の前記他端の音響出力孔は前記保持部によりユーザの耳介内で保持される、
請求項１１に記載の収音装置。
【請求項１３】
前記音導部は、前記他端付近で珠間切痕に挿通される、
請求項１２に記載の収音装置。
【請求項１４】
前記音響出力部は、リング体からなる前記保持部の一部と一体化される、
請求項８に記載の収音装置。
【請求項１５】
前記音響出力部のハウジングは、前記リング体がユーザの耳甲介腔に挿入された状態で、外耳道の入り口の方向に突設し先端に音響出力孔を有する音導部を備える、
請求項１４に記載の収音装置。
【請求項１６】
前記音響出力部は、リング体からなる前記保持部の内側面に結合される、
請求項８に記載の収音装置。
【請求項１７】
前記音響出力部のハウジングの前面側に配設された音響出力孔をさらに備える、
請求項１６に記載収音装置。
【請求項１８】
前記音響出力部のハウジングの背面に排気部をさらに備える、
請求項１４に記載の収音装置。
【請求項１９】
前記排気部は、前記ハウジングの背面側から珠間切痕を通過して、耳介の外に排気孔を有する、
請求項１８に記載の収音装置。
【請求項２０】
前記排気部内に挿通された信号線をさらに備える、
請求項１８に記載の収音装置。
【発明の詳細な説明】
【技術分野】
【０００１】
本明細書で開示する技術は、ユーザの耳に装着して用いられる収音装置に関する。
【背景技術】
【０００２】
最近、ユーザの耳に装着して用いられる挿耳型の収音装置が普及してきている。挿耳型の収音装置は、例えばバイノーラル（ｂｉｎａｕｒａｌ）録音を挙げることができる。バイノーラル録音は、ユーザ毎の頭部や身体、耳たぶの形状などの個人差を考慮して、個々のユーザの鼓膜に届く状態に近い音を記録することである（周知）。バイノーラル録音された音声をイヤホンやヘッドホンで聴取すると、あたかも録音時の現場に居合わせたかのような臨場感を再現することができる。また、バイノーラル録音した音声信号に基づいて、ユーザ毎の頭部や身体、耳たぶなど人体の各部位による回折や反射の影響に応じて生じる音の変化を表現した頭部伝達関数（Ｈｅａｄ−Ｒｅｌａｔｅｄ  Ｔｒａｎｓｆｅｒ  Ｆｕｎｃｔｉｏｎ：ＨＲＴＦ）を求めることができる。例えば、通常の音源（ドライソース）から再生される音声信号に対してＨＲＴＦを畳み込むことで、バーチャルに音像定位して、臨場感を再現することができる。【０００３】
また、挿耳型の収音装置の他の用途として、例えばイヤホンやヘッドホンなどの装着型の音響出力装置と併用して、ノイズ・キャンセリングを行なうことなども挙げられる。【０００４】
挿耳型の装置を用いてバイノーラル録音を行なう技術については既に幾つかの提案がなされているが（例えば、特許文献１、２を参照のこと）、そのほとんどはマイクロフォンなどの収音部はユーザの外耳道の外側に配置され、また装置本体はユーザの耳穴をほぼ完全に塞ぐ密閉構造となっている。
【先行技術文献】
【特許文献】
【０００５】
【特許文献１】特開２００４−１２８８５４号公報
【特許文献２】特表２００８−５１２０１５号公報
【発明の概要】
【発明が解決しようとする課題】
【０００６】
本明細書で開示する技術の目的は、ユーザの耳に装着して用いられる優れた収音装置を提供することにある。
【課題を解決するための手段】
【０００７】
本明細書で開示する技術は、上記課題を参酌してなされたものであり、収音部と、音響透過部を有し、前記収音部をユーザの外耳道内で保持する保持部と、を具備する収音装置である。【０００８】
前記保持部は、前記音響透過部としての開口部を有するリング体と、一端が前記リング体に連結されるとともに他端で前記収音部を支持する１以上のアームからなる。そして、前記リング体は、ユーザの耳甲介腔に挿入され、珠間切痕付近で係止される。【０００９】
あるいは、前記保持部は、前記音響透過部としての通気部を有する、スポンジなどの弾性部材からなる。【００１０】
あるいは、前記保持部は、前記音響透過部としての開口部を有する星状体と、一端が前記星状体に連結されるとともに他端で前記収音部を支持する１以上のアームからなる。【００１１】
前記保持部がいずれの構成であれ、基本的には、マイク孔を外耳道の外側に向けて前記収音部を保持する。そして、前記保持部は、マイク孔が外耳道の入り口より奥側となるように前記収音部を保持する。【００１２】
また、収音装置は、音響出力部をさらに備えていてもよい。【００１３】
前記収音装置をユーザの耳に装着したときに、前記音響出力部の音響出力孔と前記収音部の収音孔との相対位置が一定に保たれるように構成される。また、前記収音装置をユーザの耳に装着したときに、前記音響出力部の音響出力孔が前記収音部の収音孔よりも耳穴の外側に配置されるように構成される。
【発明の効果】
【００１４】
本明細書で開示する技術によれば、ユーザの耳に装着して用いられる優れた収音装置を提供することができる。【００１５】
なお、本明細書に記載された効果は、あくまでも例示であり、本発明の効果はこれに限定されるものではない。また、本発明が、上記の効果以外に、さらに付加的な効果を奏する場合もある。【００１６】
本明細書で開示する技術のさらに他の目的、特徴や利点は、後述する実施形態や添付する図面に基づくより詳細な説明によって明らかになるであろう。
【図面の簡単な説明】
【００１７】
【図１】図１は、挿耳型の収音装置１００の外観構成を示した図である。
【図２】図２は、挿耳型の収音装置１００の外観構成を示した図である。
【図３】図３は、挿耳型の収音装置１００の外観構成を示した図である。
【図４】図４は、挿耳型の収音装置１００の外観構成を示した図である。
【図５】図５は、収音装置１００を耳穴に装着した耳介（左耳）を示した図である。
【図６】図６は、左耳の耳穴に収音装置１００を装着したユーザの頭部の断面図である。
【図７】図７は、挿耳型の収音装置７００の外観構成を示した図である。
【図８】図８は、収音装置７００を装着したユーザの頭部の断面図である。
【図９】図９は、挿耳型の収音装置９００の外観構成を示した図である。
【図１０】図１０は、収音装置９００をユーザの耳穴に装着した様子を示した図である。
【図１１】図１１は、音響出力機能付き収音装置１００（右耳装着用）の正面図である。
【図１２】図１２は、音響出力機能付き収音装置１００（右耳装着用）の斜視図である。
【図１３】図１３は、音響出力機能付き収音装置１００をユーザの右耳に装着した様子を示した図である。
【図１４】図１４は、音導部１１５２の他端付近と結合したリング体１１２１の上面図と断面図の各々を示した図である。
【図１５】図１５は、リング体１１２１が左耳の珠間切痕で係止されたユーザの頭部の左耳付近の水平断面を示した図である。
【図１６】図１６は、音響出力部付きの収音装置１６００の外観構成を示した図である。
【図１７】図１７は、音響出力部付きの収音装置１６００の外観構成を示した図である。
【図１８】図１８は、音響出力部付きの収音装置１６００の外観構成を示した図である。
【図１９】図１９は、音響出力部付きの収音装置１６００の外観構成を示した図である。
【図２０】図２０は、音響出力部付きの収音装置１６００の外観構成を示した図である。
【図２１】図２１は、音響出力部１６５０の断面を示した図である。
【図２２】図２２は、音響出力部１６５０の断面を示した図である。
【図２３】図２３は、音響出力機能付き収音装置１６００をユーザの左耳に装着した様子を示した図である。
【図２４】図２４は、音響出力部付きの収音装置２４００の外観構成を示した図である。
【図２５】図２５は、音響出力部付きの収音装置２４００の外観構成を示した図である。
【図２６】図２６は、音響出力部付きの収音装置２４００の外観構成を示した図である。
【図２７】図２７は、音響出力部付きの収音装置２４００の外観構成を示した図である。
【図２８】図２８は、音響出力部付きの収音装置２４００の外観構成を示した図である。
【図２９】図２９は、音響出力部付きの収音装置２４００の外観構成を示した図である。
【図３０】図３０は、収音装置２４００の収音部及びその取り付け部を省略して、音響出力部の（音響出力側の）正面図を示した図である。
【図３１】図３１は、音響出力機能付き収音装置２４００をユーザの左耳に装着した様子を示した図である。
【図３２】図３２は、Ｃ字の形状をした保持部を有する収音装置の外観構成例を示した図である。
【図３３】図３３は、Ｃ字の形状をした保持部を有する収音装置の外観構成例を示した図である。
【図３４】図３４は、耳介の形状並びに各部の名称を示した図である。
【発明を実施するための形態】
【００１８】
以下、図面を参照しながら本明細書で開示する技術の実施形態について詳細に説明する。
【実施例１】
【００１９】
図１〜図４には、本明細書で開示する技術の一実施形態に係る挿耳型の収音装置１００をさまざまな角度から眺めた様子を示している。【００２０】
図１は、収音装置１００を正面方向（若しくは、ユーザの耳穴に装着したときの姿勢をした収音装置１００を耳の外側から見る方向）から眺めた正面図である。また、図２は、図１中の矢印Ａの方向から収音装置１００を眺めた側面図であり、図３は、図１中の矢印Ｂの方向から収音装置１００を眺めた側面図である。【００２１】
各図に示すように、収音装置１００は、マイクロフォンなどからなる収音部１１０と、収音部１１０を外耳道内で保持する保持部で構成される。保持部は、中空の（言い換えれば、音響を透過する開口部を有する）リング体１２１と、収音部１１０を支持する複数のアーム（図示の例では、３本のアーム）１２２〜１２４で構成される。各アーム１２２〜１２４は、それぞれ一端でリング体１２１と連結するとともに他端で収音部１１０を支持している。収音部１１０として、例えば直径２．５ミリメートル程度の円筒形状を想定している。なお、リング体１２１とアーム１２２〜１２４は、樹脂など同じ素材を一体成形した部品であっても、材質が異なる素材を２色成形した部品であってもよい。【００２２】
ここで、保持部が収音部１１０を外耳道内で保持するとは、収音孔となるマイク孔１１１が外耳道の入り口よりも奥側（鼓膜側）となるように収音部１１０を保持することを意味する。外耳道はＳ字のカーブを描く筒状をなすが、保持部は、例えば外耳道の入り口から奥に１５ミリメートル以内の奥の位置で収音部１１０を保持する。また、保持部は、筒状をなす外耳道内で発生する定在波の節を外すような位置で収音部１１０を保持することが好ましい。【００２３】
リング体１２１は例えば１３．５ミリメートル程度の寸法であり、ユーザの耳甲介腔に装着することができる。図１などに示す例では、リング体１２１は、直線部分と曲線部分の有無を問わず、切断部のない閉じたＯ字のようなリングの形状（以下、単に「Ｏ字の形状」とも言う）をしている。但し、リング体は、図３２や図３３に示すような、直線部分と曲線部分の有無を問わず、切断部がある開いたＣ字のような形状（以下、単に「Ｃ字の形状」とも言う）であって、耳甲介腔に係合される形状でもよい。また、耳甲介腔の大きさには個人差があるが、リング体１２１の外径（若しくは、幅）を１６ミリメートルよりも大きくすると、リング体１２１を耳甲介腔に挿入できない人が多くなる。リング体１２１を耳甲介腔に装着した状態では、収音部１１０が外耳道の内壁と接触せず完全に空中に浮いた状態、若しくは、収音部１１０と外耳道の内壁との接触が最小限となるように、収音部１１０は各アーム１２２〜１２４によって支持されていることが好ましい。また、収音部１１０は、収音方向（若しくは、マイク孔１１１）が、外耳道の奥側（すなわち、鼓膜側）や外耳道の内壁側ではなく、外耳道の入り口の方向（すなわち外界）を向くように、各アーム１２２〜１２４で支持されている。したがって、収音部１１０は、外耳道内に伝わってきた周囲音を好適に収音することができる。図４は、中空のリング体１２１のほぼ中央に収音部１１０が見える姿勢で収音装置１００を眺めた正面図である。【００２４】
図５には、収音装置１００を耳穴に装着した耳介（左耳）を示している。リング体１２１は、好ましくは、耳甲介腔に挿入され、耳甲介腔の底面に当接するとともにＶ字の珠間切痕に引っ掛かるようにして耳介に係止される。このようにして、収音装置１００は耳介に好適に装着される。【００２５】
リング体１２１は、中抜き構造であり、内側のほとんどすべてが開口部となる。したがって、リング体１２１が耳甲介腔内に挿入されている状態でも、ユーザの耳穴を塞ぐことはない。すなわち、ユーザの耳穴は開放されており、収音装置１００は耳穴開放型であり、音響透過性を有すると言うことができる。【００２６】
また、図６には、左耳の耳穴に収音装置１００を装着したユーザの頭部の、外耳道を通過するような冠状面により切断した縦断面図を示している。図６に示すように、収音部１１０は、リング体１２１から外耳道の奥側（鼓膜側）に向かって突出するように、各アーム１２２〜１２４で支持されている。マイク孔１１１が外耳道の入り口よりも奥側（鼓膜側）となるように、収音部１１０が保持されていることを理解されたい。また、収音部１１０は、外耳道の内壁と接触せず完全に空中に浮いた状態、若しくは、外耳道の内壁との接触が最小限となるように、各アーム１２２〜１２４で支持されていることを理解されたい。リング体１２１が適切な寸法及び適切な弾性を有することで、ユーザのフィット感が向上する。【００２７】
なお、図１〜図６では、左右の片方の収音装置１００しか示していないが、左右一組の収音装置１００をユーザの左右の各耳に装着して、バイノーラル録音が行なわれることを理解されたい。また、図１〜図６のいずれも、音声信号の入力や電源供給のための信号線（ケーブル）の図示を便宜上省略している。【００２８】
図６からも分かるように、本実施形態に係る収音装置１００によれば、ユーザの外耳道の入り口付近（耳甲介腔）に装着された状態で、収音部１１０が外耳道内で支持される構成となっている。また、収音部１１０は、中空すなわち開口部を有するリング体１２１に連結された複数のアーム１２２〜１２４によって、収音方向（若しくは、マイク孔１１１）が外耳道の外側を向く方向で支持される構造である。すなわち、リング体１２１とアーム１２２〜１２４からなる収音部１１０の保持部は、耳穴開放型であり音響透過型と言うことができる。【００２９】
したがって、収音したいユーザの周囲音は、耳穴開放型の保持部を透過して収音部１１０に到達して、好適に収音することができる。また、収音部１１０は、外耳道の外ではなく、外耳道の内部で鼓膜により近い場所で支持されているので、ユーザが聴取する音により近い状態で周囲音を収音することができる。【００３０】
また、周囲音の変化は、ユーザの頭部や身体、耳たぶなど人体の表面による解説や反射の影響だけでなく、外耳道の内壁での回折や反射、さらには鼓膜からの反射の影響によっても生じ得る。本実施形態に係る収音装置１００によれば、収音部１１０は外耳道内に配設されるので、外耳道の内壁での回折や反射、鼓膜からの反射の影響を考慮したバイノーラル録音を実現することができ、より高い精度で臨場感を再現することができる。また、本実施形態に係る収音装置１００によれば、ユーザ毎の頭部や身体、耳たぶなど人体の各部位だけでなく、外耳道の形状や鼓膜からの反射音の影響をも考慮して、音の変化を表現した精度の高い頭部伝達関数を求めることが可能になる。【００３１】
図７には、耳穴開放型で、且つ、収音部を外耳道の内部で支持することができる、他の収音装置７００の外観構成例を示している。また、図８には、この収音装置７００を左耳の耳穴に装着したユーザの頭部の、外耳道を通過するような冠状面により切断した縦断面図を示している。なお、図７及び図８のいずれも、音声信号の入力や電源供給のための信号線（ケーブル）の図示を便宜上省略している。また、図７及び図８では、左右の片方の収音装置７００しか示していないが、左右一組の収音装置７００をユーザの左右の各耳に装着して、バイノーラル録音が行なわれることを理解されたい。【００３２】
図１などに示した収音装置１００は、開口部を有するリング体１２１とアーム１２２〜１２４からなる保持部を用いて、外耳道の内壁と接触せず完全に空中に浮いた状態で（若しくは、外耳道の内壁との接触が最小限となるように）収音部１１０を支持して、耳穴開放型で且つ音響透過性を担保している。これに対し、図７に示す収音装置７００は、収音部７１０と、スポンジのような通気部を有する保持部７２０からなる。保持部７２０は、収音部７１０の外側を覆い、外径を有する円柱形状をなしている。また、収音部１１０として、例えば直径２．５ミリメートル程度の円筒形状を想定している（同上）。【００３３】
そして、図８に示す装着状態では、収音装置７００は外耳道の第１カーブ付近で係止されているが、外耳道の内壁と接触せず完全に空中に浮いた状態で（若しくは、外耳道の内壁との接触が最小限となるように）収音部７１０が支持されている。図８から、収音装置７００は、図１に示した収音装置１００と同様に、耳穴開放型で且つ音響透過性を担保していることを理解できよう。また、収音孔となるマイク孔の７１１が外耳道の入り口よりも奥側（鼓膜側）となるように、収音部７１０が保持されていることを理解されたい。外耳道はＳ字のカーブを描く筒状をなすが、保持部７２０は、例えば外耳道の入り口から奥に１５ミリメートル以内の奥の位置で収音部７１０を保持する。【００３４】
収音部７１０は、外耳道の外ではなく、外耳道の内部で鼓膜により近い場所で支持されているので、ユーザが聴取する音により近い状態で周囲音を収音することができる。また、収音部７１０は、外耳道内に配設されるので、外耳道の内壁での回折や反射、鼓膜からの反射の影響を考慮したバイノーラル録音を実現することができ、より高い精度で臨場感を再現することができる。したがって、収音装置７００によれば、ユーザ毎の頭部や身体、耳たぶなど人体の各部位だけでなく、外耳道の形状や鼓膜からの反射音の影響をも考慮して、音の変化を表現した精度の高い頭部伝達関数を求めることが可能である。【００３５】
なお、収音装置７００の装着状態では、収音部７１０の収音方向（若しくは、マイク孔７１１）が外耳道の外側に向けられていることが好ましい。収音部７１０の収音方向は、外耳道の奥側（すなわち、鼓膜側）や外耳道の内壁側を向くよりも外耳道の外側に向けられることが好ましいと言うこともできる。また、通気部を有する保持部７２０が適切な寸法及び適切な弾性を有することで、ユーザのフィット感が向上する。【００３６】
図９には、耳穴開放型で、且つ、収音部を外耳道の内部で支持することができる、さらに他の収音装置９００の外観構成例を示している。また、図１０には、この収音装置９００をユーザの耳穴に装着した様子を示している。なお、図９及び図１０のいずれも、音声信号の入力や電源供給のための信号線（ケーブル）の図示を便宜上省略している。また、図９及び図１０では、左右の片方の収音装置９００しか示していないが、左右一組の収音装置９００をユーザの左右の各耳に装着して、バイノーラル録音が行なわれることを理解されたい。【００３７】
図９に示す収音装置９００は、収音部９１０と、フレーム構造をなし開口部を有する保持部からなる。保持部は、中空の（言い換えれば、音響を透過する開口部を有する）星状体９２１と、収音部９１０を支持する複数のアーム（図示の例では、５本のアーム）９２２〜９２６で構成される。各アーム９２２〜９２６は、それぞれ一端で星状体９２１の各頂点と連結するとともに、他端で収音部９１０を支持している。また、収音部９１０として、例えば直径２．５ミリメートル程度の円筒形状を想定している（同上）。【００３８】
星状体９２１は、外耳道の入り口付近の内径と同等の寸法であり、図１０に示すように、収音装置９００を外耳道入り口に装着することができる。そして、星状体９２１を外耳道の入り口に装着した状態で、収音部９１０が外耳道の内壁と接触せず完全に空中に浮いた状態、若しくは、収音部９１０と外耳道の内壁との接触が最小限となるように、収音部９１０は各アーム９２２〜９２６によって支持されている。したがって、収音装置９００も、耳穴開放型で且つ音響透過性を担保していることを理解できよう。また、収音孔となるマイク孔９１１が外耳道の入り口よりも奥側（鼓膜側）となるように、収音部９１０が保持されていることを理解されたい。外耳道はＳ字のカーブを描く筒状をなすが、保持部は、例えば外耳道の入り口から奥に１５ミリメートル以内の奥の位置で収音部９１０を保持する。【００３９】
収音装置９００を図１０に示すようにユーザの耳穴に挿入する際、フレーム構造の保持部のアーム９２２〜９２６は、外耳道の内壁に押しつぶされて細長い形状に変形する。その際、星状体９２１は閉じるように変形する。フレーム構造の保持部が適切な寸法及び適切な弾性を有することで、ユーザのフィット感が向上する。なお、星状体９２１とアーム９２２〜９２６は、樹脂など同じ素材を一体成形した部品であっても、材質が異なる素材を２色成形した部品であってもよい。【００４０】
なお、保持部のフレーム構造の形状は任意であり、機能的な観点で形状を設計したり、あるいは意匠的な観点から美観を重視した形状に設計したりするようにしてもよい。例えば星状体９２１は、五角星形ではなく六角星形でもよく、あるいは星状でなくてもよい。【００４１】
収音部９１０は、外耳道の外ではなく、外耳道の内部で鼓膜により近い場所で支持されているので、ユーザが聴取する音により近い状態で周囲音を収音することができる。また、収音部９１０は、外耳道内に配設されるので、外耳道の内壁での回折や反射、鼓膜からの反射の影響を考慮したバイノーラル録音を実現することができ、より高い精度で臨場感を再現することができる。したがって、収音装置９００によれば、ユーザ毎の頭部や身体、耳たぶなど人体の各部位だけでなく、外耳道の形状や鼓膜からの反射音の影響をも考慮して、音の変化を表現した精度の高い頭部伝達関数を求めることが可能である。【００４２】
なお、収音部９１０は、収音方向（若しくは、マイク孔９１１）が、外耳道の奥側（すなわち、鼓膜側）ではなく、外界を向くように、各アーム９２２〜９２６で支持されている。したがって、収音部９１０は、外耳道内に伝わってきた周囲音を好適に収音することができる。なお、収音部９１０の収音方向は、外耳道の奥側（すなわち、鼓膜側）や外耳道の内壁側を向くよりも外耳道の外側に向けられることが好ましいと言うこともできる。
【実施例２】
【００４３】
図１１〜図１３には、本明細書で開示する技術の他の実施形態に係る、音響出力部付きの収音装置１１００の構成例を示している。図１１は、音響出力機能付き収音装置１１００（右耳装着用）の正面図であり、図１２は、音響出力機能付き収音装置１１００（右耳装着用）の斜視図であり、図１３は、音響出力機能付き収音装置１１００をユーザの右耳に装着した様子を示している。なお、図１１〜図１３では、左右の片方の収音装置１１００しか示していないが、左右一組の収音装置１１００をユーザの左右の各耳に装着して、バイノーラル録音やバイノーラル再生を実現できることを理解されたい。【００４４】
収音装置１１００は、収音部１１１０と、収音部１１１０を保持する保持部と、音響出力部１１５０を備えている。図示の収音装置１１００では、収音部１１１０及び保持部は、図１に示した収音装置１００とほぼ同一の構成を備えている。すなわち、収音部１１１０は、例えば直径２．５ミリメートル程度の円筒形状をしたマイクロフォンである。そして、保持部は、中空の（言い換えれば、音響を透過する開口部を有する）リング体１１２１と、収音部１１１０を支持する複数のアーム１１２２…で構成される。図示の例では、リング体１１２１は、Ｏ字の形状をしているが、Ｃ字の形状であってもよい。各アームは、それぞれ一端でリング体１１２１と連結するとともに他端で、収音方向（若しくは、収音孔となるマイク孔１１１１）が外耳道の外側を向くような姿勢で収音部１１１０を支持している。なお、収音部１１１０の収音方向は、外耳道の奥側（すなわち、鼓膜側）や外耳道の内壁側を向くよりも外耳道の外側に向けられることが好ましいと言うこともできる。【００４５】
収音部１１１０が耳穴開放型で音響透過性を有する点、外耳道の内部で鼓膜により近い場所で支持されて、ユーザが聴取する音により近い状態で周囲音を収音できる点、及び、ユーザ毎の頭部や身体、耳たぶなど人体の各部位だけでなく、外耳道の形状や鼓膜からの反射音の影響をも考慮してバイノーラル録音や頭部伝達関数を求めることが可能である点は、図１などを参照しながら既に説明した通りである。【００４６】
収音部１１１０の耳穴開放型で音響透過性を有するという特徴を担保すべく、収音部１１１０に組み合わされる音響出力部１１５０も同様に音響透過性という特徴を備えている。耳穴開放型の音響出力装置については、例えば本出願人に既に譲渡されている特願２０１６−３９００４号明細書に記載されており、本実施例に係る音響出力部１１５０も同様の構成を備えている。【００４７】
音響出力部１１５０は、音響を発生する音響発生部１１５１と、音響発生部１１５１から発生される音響を一端から取り込むとともに他端から外耳道の入り口に向かって出力する音導部１１５２を備えている。音導部１１５２は、開放端である他端付近で、上述した保持部のリング体１１２１と結合している。【００４８】
音響発生部１１５１は、直径１６ミリメートル程度の、ダイナミック型ドライバ（あるいは、静電型ドライバや圧電型ドライバ）のような音圧変化を生み出す発音素子を利用するので、音響発生時には音響発生部１１５１のハウジング内で気圧変化が生じる。このため、ハウジング内（バック・キャビティー）に発生した高気圧（フロント・キャビティーと逆相の音響）をハウジングの外に逃がすための１以上の排気孔（図示しない）がハウジングの背面側などに穿設されている。【００４９】
音導部１１５２は、内径が１〜５ミリメートルの中空（例えば、円筒型）の管材からなり、その両端はともに開放端である。音導部１１５２の一端は、音響発生部１１５１からの発生音の音響入力孔であり、他端はその音響出力孔になっている。したがって、一端が音響発生部１１５１に取り付けられることで、音導部１１５２は片側開放状態となっている。例えば、エラストマーのような弾性のある樹脂で音導部１１５２を製作することができる。【００５０】
管状の音導部１１５２は、中間付近でほぼＵ字に屈曲し、耳介の背面側から正面側に折り返す屈曲形状を有している。したがって、図１３に示すように、収音装置１１００をユーザの耳に取り付けた際、音導部１１５２の音響出力孔は保持部によって外耳道の入り口付近に配置される一方、音響発生部１１５１は耳介の裏側に配置される。音導部１１５２は、屈曲形状により耳介の下端で折り返し、耳介の裏側の音響発生部１１５１から取り込んだ空気振動を耳介の表側まで伝搬することができる。【００５１】
音導部１１５２の他端は、保持部のリング体１１２１の内側面の一箇所と結合している。図１３に示す例では、リング体１１２１は、耳甲介腔内に挿入されて、耳甲介腔の底面に当接している。また、リング体１１２１と結合した音導部１１５２は、珠間切痕の谷間を通過する。そして、音導部１１５２が珠間切痕の谷間に引っ掛かるようにしてリング体１１２１が珠間切痕若しくは耳珠の内壁に係止されることで、収音装置１１００は、耳介に好適に装着される。リング体１１２１が耳甲介腔内に収容されるとともに音導部１１５２が珠間切痕の谷間を通過するようにして係止された状態では、音導部１１５２の他端の音響出力孔が外耳道の入り口を向く姿勢となるように、リング体１１２１は音導部１１５２の他端付近を支持している。【００５２】
収音装置１１００をユーザの耳甲介腔に装着したときに、音響出力部１１５０の音響出力孔と、収音部１１１０の収音孔であるマイク孔１１１１との相対位置が一定に保たれる、という点を理解されたい。また、収音装置１１００をユーザの耳甲介腔に装着したときに、音響出力部１１５０の音響出力孔は、収音部１１１０の収音孔であるマイク孔１１１１よりも、ユーザの耳穴の外側に配置される、という点を理解されたい。マイク孔１１１１は、基本的には、リング体１１２１の開口のほぼ中央に配設されている。【００５３】
音導部１１５２は、空気振動を伝搬するという目的からは、内径がなるべく大きいことが好ましい。他方、図１３に示すように、音導部１１５２はその他端付近で珠間切痕の谷間を通過する。このため、音導部１１５２の外径を珠間切痕の間隙（例えば３．６ミリメートル）以上にすると、珠間切痕の谷間が広げられるためユーザの耳に圧迫感を与えることが懸念される。【００５４】
リング体１１２１は、中抜き構造であり、内側のほとんどすべてが開口部となる。また、音導部１１５２の少なくとも他端付近の外径は、耳穴（外耳道の入り口付近）の内径よりも小さくなるように形成されている。したがって、リング体１１２１が耳甲介腔内に挿入されている状態でも、ユーザの耳穴を塞ぐことはない。また、音響発生部１１５１は、ユーザの耳の裏側など耳穴から離間した場所に配設されるので、音響出力部１１５０は、ユーザの耳穴は開放されていると言うことができる。すなわち、音響出力部１１５０付きの収音装置１１００は耳穴開放型であり、音響透過性を有すると言うことができる。【００５５】
音響発生部１１５１は、ユーザの耳穴から離間した場所に配設されているが、その発生音の外部への漏れを防止することができる。何故ならば、音導部１１５２の他端が外耳道の奥側を向くように取り付けられ、発生音の空気振動を鼓膜の知覚で放出することから、音響発生部１１５１の出力を小さくしても、音導部１１５２の音響出力孔で十分な音質を得ることができるからである。【００５６】
また、音導部１１５２の他端から放出される空気振動の指向性も、音漏れの防止に寄与する。音導部１１５２の他端から外耳道の内部に向けて空気振動が放出される。外耳道は、外耳道入り口から始まり鼓膜の内側で終了する穴、すなわちＳ字のカーブを描く筒状をした閉空間であり、一般的におよそ２５〜３０ミリメートルの長さがある。音導部１１５２の他端から外耳道の奥に向かって放出された空気振動は、指向性を以って鼓膜まで到達すると、一部は反射する。また、空気振動は外耳道内では音圧が上がることから、とりわけ低域の感度（ゲイン）が向上する。他方、外耳道の外側すなわち外界は開空間である。このため、音導部１１５２の他端から外耳道の外に放出された空気振動は、外界に放たれると指向性がなくなり、急峻に減衰する。【００５７】
厳密に言うと、リング体１１２１が珠間切痕で係止された状態では、音響出力孔である音導部１１５２の他端は、外耳道入り口付近ではなく、むしろ耳甲介腔に対向していることが好ましい。そこで、リング体１１２１は、音響出力孔が外耳道入り口を向くように、音導部１１５２の他端を斜めに傾けて支持している。何故ならば、低域成分の感度を保つには、音導部１１５２の他端からの音の放出方向と外耳道の穴方向が一致していることが極めて重要だからである。他方、音導部１１５２の他端が水平を向くようにリング体１１２１で支持されていると、音導部１１５２の他端から放出された空気振動の大部分が耳甲介腔で反射されてしまい、外耳道内に伝搬され難くなる。【００５８】
図１４の（Ａ）と（Ｂ）には、音導部１１５２の他端付近と結合したリング体１１２１の上面図と断面図の各々を示している。また、図１５には、リング体１１２１が左耳の珠間切痕で係止されたユーザの頭部の左耳付近の水平断面を示している。但し、図１４及び図１５の各々において、図面の簡素化のため、収音部１１１０及びアーム１１２２〜１１２４は省略している。【００５９】
図１３を参照しながら既に説明したように、リング体１１２１は耳甲介腔に挿入され、リング体１１２１と結合した音導部１１５２が珠間切痕の谷間を通過し、リング体１１２１は珠間切痕に引っ掛かるようにして係止される。そして、図１５から分かるように、リング体１１２１が珠間切痕若しくは耳珠の内壁で係止されたときには外耳道の穴方向から傾いているが、音導部１１５２の他端の音響出力孔は、外耳道を向く姿勢となっている。すなわち、音導部１１５２の他端からの音の放出方向と外耳道の穴方向が一致している。【００６０】
音響出力部１１５０付きの収音装置１１００を、収音部１１１０単体で使用した場合、実施例１で説明したように、収音部１１１０が耳穴開放型で音響透過性を有することから、外耳道の形状や鼓膜からの反射音を考慮したバイノーラル録音や頭部伝達関数の計算、バーチャル音像定位を実現することができる。また、音響出力部１１５０による音声再生時に収音部１１１０を同時に利用することで、外耳道の形状や鼓膜からの反射音を考慮したノイズ・キャンセルを実現することができる。【００６１】
また、音響出力部１１５０付きの収音装置１１００は、音響出力部１１５０単体としても、耳穴開放型であるという特徴がある。耳穴開放型の音響出力部１１５０の利点について、以下にまとめておく。【００６２】
（１）ユーザは、音響出力部１１５０付きの収音装置１１００を装着中も、周囲音を自然に聴くことができる。したがって、空間把握、危険察知、会話並びに会話時の微妙なニュアンスの把握といった、聴覚特性に依存した人間の機能を正常に利用することができる。【００６３】
（２）音響出力部１１５０付きの収音装置１１００は、装着時において耳穴を塞いでいないので、他人から見て、話し掛けてもよい外観をしている。また、音響出力部１１５０付きの収音装置１１００を装着したユーザは、常に周囲音が聞こえているため、人間の性質として、人が近づいてきたら足音などの音響情報から、「音の方向に体の向きを変える」、「音の方向に視線を移す」といった受動的な態度を少なからずとる。そういった振る舞いが、他人に「話し掛けてもよい」という印象を与えるので、人と人とのコミュニケーションを阻害しない。【００６４】
（３）音響出力部１１５０付きの収音装置１１００は、自己発生系ノイズ音の影響を受けない。音響出力孔である音導部１１５２の他端は、耳穴装着時において、外耳道の内壁に接触していないので、ユーザ自身の声や、鼓動音、咀嚼音、唾を飲み込むときの音、血流音、呼吸音、歩行時に体を伝わる振動音、コードなどの衣擦れ音の影響を受けない。また、イヤピースと外耳道内壁との摩擦音が発生することもない。また、耳穴が解放されていることから、外耳道の湿気籠りする心配がない。【００６５】
（４）音響出力部１１５０付きの収音装置１１００は、耳への装着性が良好で、耳の大きさや形状の個人差などに起因する位置決めばらつきを吸収することができる。リング体１１２１が珠間切痕若しくは耳珠の内壁に係止されて、音導部１１５２の他端の音響出力孔が外耳道の入り口を向くように支持するように構成されている。したがって、音導体が耳輪で折り返す耳かけ式の音響出力装置の場合のような、長さ調整を必要としない。また、リング体１１２１が珠間切痕若しくは耳珠の内壁に係止されることによって、良好な装着状態を維持することができる。また、音導部１１５２が、耳介背面から耳垂で折り返して外耳道入り口付近まで延設されるという構造は、ユーザがメガネやメガネ型ウェアラブル・デバイス、耳かけ式デバイスを併用しても、これらの他の装置と一切干渉しない。【００６６】
（５）音導部１１５２は、音響発生部１１５１で発生した音を耳の後ろから最短距離で外耳道の入り口付近まで伝搬させる。したがって、耳かけ式の音響出力装置と比較すると、音導部の長さが短縮される分だけ、音響ロスを最低限に抑えることができ、音響発生部１１５１を低出力にして、良好な音質を得ることができる。付言すれば、音響発生部１１５１の寸法的な許容度が高く、必要な音響帯域や音圧に応じた設計が可能である。【００６７】
図１６〜図２０には、他の構成例に係る音響出力部付きの収音装置１６００の外観を、見る方向を変えながら示している。なお、図１６〜図２０では、左右の片方の収音装置１６００しか示していないが、左右一組の音響出力機能付き収音装置１６００をユーザの左右の各耳に装着して、バイノーラル録音やバイノーラル再生、ノイズ・キャンセリングなどを実現できることを理解されたい。【００６８】
収音装置１６００は、収音部１６１０と、収音部１６１０を保持する保持部と、音響出力部１６５０を備えている。【００６９】
図示の収音装置１６００では、収音部１６１０及び保持部は、図１に示した収音装置１００とほぼ同一の構成を備えている。すなわち、収音部１６１０は、例えば直径２．５ミリメートル程度の円筒形状をしたマイクロフォンである。そして、保持部は、中空の（言い換えれば、音響を透過する開口部を有する）リング体１６２１と、収音部１６１０を支持する複数のアーム１６２２、１６２３…で構成される。図示の例では、リング体１６２１は、Ｏ字の形状をしているが、Ｃ字の形状であってもよい。各アームは、それぞれ一端でリング体１６２１と連結するとともに他端で収音部１６１０を支持している。また、収音部１６１０は、収音方向（若しくは、収音孔となるマイク孔１６１１）が、外耳道の奥側（すなわち、鼓膜側）ではなく、外界を向くように支持されている。なお、収音部１６１０の収音方向は、外耳道の奥側（すなわち、鼓膜側）や外耳道の内壁側を向くよりも外耳道の外側に向けられることが好ましいと言うこともできる。【００７０】
収音部１６１０が耳穴開放型で音響透過性を有する点、外耳道の内部で鼓膜により近い場所で支持されて、ユーザが聴取する音により近い状態で周囲音を収音できる点、及び、ユーザ毎の頭部や身体、耳たぶなど人体の各部位だけでなく、外耳道の形状や鼓膜からの反射音の影響をも考慮してバイノーラル録音や頭部伝達関数を求めることが可能である点は、図１などを参照しながら既に説明した通りである。【００７１】
一方、音響出力部１６５０は、音響を発生する音響発生部を内蔵するとともに、短い中空の管状の音導部１６５１を備えている。この音響発生部は、直径９ミリメートル程度のダイナミック型ドライバのような音圧変化を生み出す発音素子からなり、そのハウジングはリング体１６２１の一部と一体化している。図１６などに示す例では、音響出力部１６５０のハウジングはリング体１６２１の外側面と結合しているが、小型であるためリング体１６２１の内側面と結合する設計や、音響出力部１６５０のハウジングの中央付近でリング体１６２１と結合する設計も考え得る。リング体１６２１は例えば１３．５ミリメートル程度の寸法であり、ユーザの耳甲介腔に装着することができる。耳甲介腔の大きさには個人差があるが、リング体１６２１の外径（若しくは、幅）を１６ミリメートルよりも大きくすると、リング体１６２１を耳甲介腔に挿入できない人が多くなる。また、音導部１６５１は、音響出力部１６５０の前面（ハウジング内に配設された振動板（後述）の前面側）に外耳道の入り口の方向に突設された、短い中空の管材からなる。音導部１６５１の先端の開口部は音響出力孔となっており、音導部１６５１は、音響出力部１６５０で発生される音響を外耳道の入り口に向かって出力する。【００７２】
図２１及び図２２には、音響出力部１６５０の断面図であり、ハウジングの内部構成を示している。但し、図２１は主に音響出力部の断面を示し、図２２は排気部（後述）を含めた断面を示している。また、図面の簡素化のため、収音部１６１０や保持部については適宜省略している。なお、図２１及び図２２に示す発音素子は、ダイナミック型ドライバであるが、同様に音圧変化を生じさせるタイプの静電型ドライバを用いることもできる。あるいは、バランスド・アーマチュア型や圧電型などのまったくタイプが異なる発音素子を用いたり、複数のタイプの発音素子を組み合わせたハイブリッド型を用いたりしてもよい。【００７３】
音響出力部１６５０の内部には、マグネット２１０１により構成される磁気回路中に対向して、ボイス・コイル２１０２を有する振動板２１０３が配置されている。また、音響出力部１６５０の内部は、この振動板２１０３によって、振動板前面空間（フロント・キャビティー）２１０４と振動板背面空間２１０５（バック・キャビティー）に仕切られている。そして、信号線（図示しない）を介してボイス・コイル２１０２に入力される音声信号に応じて磁界が変化すると、マグネット２１０１の磁力よって振動板２１０３が前後方向（ボイス・コイル２１０２の巻き線方向）に動作することで、振動板前面空間２１０４と振動板背面空間２１０５の間で気圧の変化が発生し、これが音響となる。【００７４】
振動板前面空間２１０４で発生した音響は、音導部１６５１の管内を伝搬して、その先端の音響出力孔から外耳道の奥に向かって放出されると、その後は鼓膜に到達する。【００７５】
一方、振動板背面空間２１０５で発生した音響（振動板前面空間２１０４と逆相の音響）が振動板２１０３の振動を妨げないように、音響出力部１６５０のハウジングの外部へ放出するための排気孔が必要である。【００７６】
音響出力部１６５０を含む収音装置１６００は、ユーザの耳甲介腔に装着して用いられることを想定している（後述並びに図２３を参照のこと）。もし、音響出力部１６５０のハウジングの背面などに排気孔を穿設すると、振動板背面空間２１０５で発生した音響が耳甲介腔内で放出されることになるので、収音部１６１０で収音されてしまい、あるいは音響出力部１６５０で生成される再生音にとって大きな雑音になる。【００７７】
そこで、図２２に示すように、音響出力部１６５０（振動板２１０３）の背面側に、排気部２２０１が配設されている。この排気部２２０１は、音響出力部１６５０のハウジングの背面側から珠間切痕を通過して耳介の外に達するほど十分な長さを持つ中空の管材からなり、その先端の開口部は振動板背面空間２１０５で発生した音響を放出するための排気孔となっている。このような構成にすれば、排気部２２０１は、収音部１６１０や音導部１６５１の先端の音響出力孔から十分離間した、耳介の外に振動板背面空間２１０５で発生した音響を放出することができるので、音漏れの影響を抑制することができる。なお、排気部２２０１は、音声信号や電源などの信号線を挿通させるダクトを兼用していてもよい。【００７８】
図２３には、音響出力機能付き収音装置１６００をユーザの左耳に装着した様子を示している。図１１などに示した収音装置１１００とは異なり、音響出力部１６５０が直径約９ミリメートルと小型であることから、音響出力部１６５０をリング体１６２０と一体的に構成しても、収音装置１１００全体をユーザの耳甲介腔に装着することが可能である、ということを理解されたい。【００７９】
図２３に示す例では、リング体１６２１は、一体化された音響出力部１６５０とともに耳甲介腔内に挿入されて、耳甲介腔の底面に当接している。また、音響出力部１６５０のハウジングの背面から突設された排気部２２０１は、珠間切痕の谷間を通過する。そして、排気部２２０１が珠間切痕の谷間に引っ掛かるようにして、リング体１６２１が珠間切痕若しくは耳珠の内壁に係止されることで、収音装置１６００は、耳介に好適に装着される。【００８０】
また、耳甲介腔内に挿入されたリング体１６２１が図２３に示すように珠間切痕若しくは耳珠の内壁に係止された状態では、図２３では隠れて見えないが、音導部１６５１の先端の音響出力孔が外耳道の入り口を向く姿勢となるように、音導部１６５１は音響出力部１６５０のハウジングの前面から突設している。【００８１】
収音装置１６００をユーザの耳甲介腔に装着したときに、音響出力部１６５０の音響出力孔と、収音部１６１０の収音孔であるマイク孔１６１１との相対位置が一定に保たれる、という点を理解されたい。また、収音装置１６００をユーザの耳甲介腔に装着したときに、音響出力部１６５０の音響出力孔は、収音部１６１０の収音孔であるマイク孔１６１１よりも、ユーザの耳穴の外側に配置される、という点を理解されたい。マイク孔１６１１は、基本的には、リング体１６２１の開口のほぼ中央に配設されている。【００８２】
排気部２２０１は、不要な音響（バック・キャビティーに発生した、フロント・キャビティーと逆相の音響）を音響出力部１６５０のハウジングの外に排出するという目的、並びに信号線用のダクトを兼用するという観点から、内径がなるべく大きいことが好ましい。他方、図２３に示したように、排気部２２０１は珠間切痕の谷間を通過する。このため、排気部２２０１の外径を珠間切痕の間隙（例えば３．６ミリメートル）以上にすると、珠間切痕の谷間が広げられるためユーザの耳に圧迫感を与えることが懸念される。【００８３】
リング体１６２１は、中抜き構造であり、内側のほとんどすべてが開口部となる。また、音響出力部１６５０のハウジングはリング体１６２１の一部と一体化しているので、リング体１６２１の内側の開口部を一切干渉しない。したがって、音響出力部１６５０が一体となった収音装置１６００全体が耳甲介腔内に挿入されている状態でも、ユーザの耳穴を塞ぐことはない。すなわち、ユーザの耳穴は開放されており、音響出力部１６５０付きの収音装置１６００は耳穴開放型であり、音響透過性を有すると言うことができる。【００８４】
音響出力部１６５０は、耳甲介腔内に配設されるので、その出力を小さくしても、音導部１６５１の先端の音響出力孔で十分な音質を得ることができる。したがって、音響出力部１６５０の発生音の外部への漏れを防止することができる。【００８５】
また、音導部１６５１の先端から放出される空気振動の指向性も、音漏れの防止に寄与する。音導部１６５１の先端から外耳道の内部に向けて空気振動が放出される。外耳道は、Ｓ字のカーブを描く筒状をした閉空間であり、一般的におよそ２５〜３０ミリメートルの長さがある。音導部１６５１の先端から外耳道の奥に向かって放出された空気振動は、指向性を以って鼓膜まで到達すると、一部は反射する。また、空気振動は外耳道内では音圧が上がることから、とりわけ低域の感度（ゲイン）が向上する。他方、外耳道の外側すなわち外界は開空間である。このため、音導部１６５１の先端から外耳道の外に放出された空気振動は、外界に放たれると指向性がなくなり、急峻に減衰する。リング体１６２１が珠間切痕で係止された状態では、音響出力孔である音導部１６５１の先端は、外耳道入り口付近ではなく、むしろ耳甲介腔に対向していることが好ましい。【００８６】
音響出力部１６５０付きの収音装置１６００を、収音部１６１０単体で使用した場合、実施例１で説明したように、収音部１６１０が耳穴開放型で音響透過性を有することから、外耳道の形状や鼓膜からの反射音を考慮したバイノーラル録音や頭部伝達関数の計算、バーチャル音像定位を実現することができる。また、音響出力部１６５０による音声再生時に収音部１６１０を同時に利用することで、外耳道の形状や鼓膜からの反射音を考慮したノイズ・キャンセルを実現することができる。【００８７】
また、音響出力部１６５０付きの収音装置１６００は、音響出力部１６５０単体としても、耳穴開放型であるという特徴がある。したがって、収音装置１１００と同様に、上述した利点（１）〜（４）を有する。【００８８】
図２４〜図２９には、さらに他の構成例に係る音響出力部付きの収音装置２４００の外観を、見る方向を変えながら示している。また、参考のため、図３０には、収音部及びその取り付け部を省略して、音響出力部の（音響出力側の）正面図を示している。なお、図２４〜図２９では、左右の片方の収音装置２４００しか示していないが、左右一組の音響出力機能付き収音装置２４００をユーザの左右の各耳に装着して、バイノーラル録音やバイノーラル再生、ノイズ・キャンセリングなどを実現できることを理解されたい。【００８９】
収音装置２４００は、収音部２４１０と、収音部２４１０を保持する保持部２４２０と、音響出力部２４５０を備えている。【００９０】
音響出力部２４５０は、直径６ミリメートル程度のダイナミック型ドライバのような音圧変化を生み出す発音素子からなり、そのハウジングは円板状をなし、リング状の保持部２４２０の一部と一体化と結合している。図示の例では、保持部２４２０は、Ｏ字のリング形状をしているが、Ｃ字の形状であってもよい。図２４などに示す例では、音響出力部２４５０のハウジングはリング状の保持部２４２０の内側面と結合しているが、小型であるためリング状の保持部２４２０の外側面と結合する設計や、音響出力部２４５０のハウジングの中央付近でリング状の保持部２４２０と結合する設計も考え得る。保持部２４２０は例えば１３．５ミリメートル程度の寸法であり、ユーザの耳甲介腔に装着することができる。耳甲介腔の大きさには個人差があるが、保持部２４２０の外径（若しくは、幅）を１６ミリメートルよりも大きくすると、保持部２４２０を耳甲介腔に挿入できない人が多くなる。また、音響出力部２４５０の前面側（ハウジング内に配設された振動板（図示しない）の前面側）には、発生した音響を出力する三日月形状の音響出力孔２４５１が穿設されている。【００９１】
一方、収音部２４１０は、図１に示した収音装置１００の収音部１１０とほぼ同一の構成を備えている。すなわち、収音部２４１０は、例えば直径２．５ミリメートル程度の円筒形状をしたマイクロフォンである。収音部２４１０は、音響出力部２４５０のハウジングの前面側に複数（図示の例では２本）のリング状の保持部２４２０によって前方（収音装置２４００をユーザの耳に取り付けたときの外耳道の奥の方向）に突出するように支持されている。また、収音部２４１０は、収音方向（若しくは、収音孔となるマイク孔２４１１）が、外耳道の奥側（すなわち、鼓膜側）ではなく、外界を向くように支持されている（図２８を参照のこと）。なお、収音部２４１０の収音方向は、外耳道の奥側（すなわち、鼓膜側）や外耳道の内壁側を向くよりも外耳道の外側に向けられることが好ましいと言うこともできる。【００９２】
収音部２４１０が耳穴開放型で音響透過性を有する点、外耳道の内部で鼓膜により近い場所で支持されて、ユーザが聴取する音により近い状態で周囲音を収音できる点、及び、ユーザ毎の頭部や身体、耳たぶなど人体の各部位だけでなく、外耳道の形状や鼓膜からの反射音の影響をも考慮してバイノーラル録音や頭部伝達関数を求めることが可能である点は、図１などを参照しながら既に説明した通りである。【００９３】
音響出力部２４５０の内部構成については、図示並びに詳細な説明を省略する。基本的には、図２１及び図２２と同様に、音響出力部２４５０のハウジング内に、マグネットにより構成される磁気回路に対向してボイス・コイルを有する振動板が配置され、ボイス・コイルに音声信号を入力した際の磁界が変化して、マグネットの磁力によって振動板が前後方向に動作して、振動板の前面空間で音響を生成する。【００９４】
音響出力部２４５０内の発音素子で発生した音響は、音響出力部２４５０のハウジングの前面に穿設された音響出力孔から外耳道の奥に向かって放出されると、その後は鼓膜に到達する。【００９５】
なお、図３０から分かるように、音響出力部２４５０のハウジングに、三日月形状をした音響出力孔２４５１が、リング状の保持部２４２０の中央ではなく周縁に寄った場所に穿設されている。音響出力孔２４５１が収音部２４１０のマイク孔２４１１よりもリング状の保持部２４２０の外側に配置されているのは、音響出力孔２４５１から放出される再生音が、外界から外耳道内に伝達され収音部２４１０で収音される周囲音となるべく干渉し合わないようにするためである。もし、音響出力部２４５０のハウジング前面の、保持部２４２０のリング中央となる付近に音響出力孔２４５１を穿設すると、音響出力孔２４５１が収音部２４１０のマイク孔２４１１と至近距離で対峙することになり、収音部２４１０は周囲音ではなく音響出力部２４５０の再生音を集音してしまうであろう。【００９６】
また、音響出力部２４５０のハウジングの背面側には、音声信号や電源などの信号線を挿通させるダクト２４６０が連結されている。音響出力部２４５０にダイナミック型ドライバや静電型ドライバのような気圧変化を生じさせる発音素子を利用する場合、ハウジング内（バック・キャビティー）に発生した高気圧（フロント・キャビティーと逆相の音響）をハウジングの外に逃がす必要があるが、このダクト２４６０を排気部として兼用することができる。ダクト２４６０の、保持部２４２０から離間した場所には、このような音響を放出するための排気孔２４６１が穿設されている（図２９を参照のこと）。排気孔２４６１は、収音部２４１０や音響出力孔２４５１から十分離間しているので、廃棄された音響が収音部２４１０で収音されたり音響出力部２４５０の再生音の雑音になったりすることはない。【００９７】
図３１には、音響出力部付きの収音装置２４００をユーザの左耳に装着した様子を示している。図１６に示した収音装置１６００と同様に、音響出力部２４５０が直径約６ミリメートルと小型であることから、音響出力部２４５０と一体化したリング状の保持部２４２０をユーザの耳甲介腔に装着することが可能である、ということを理解されたい。【００９８】
図３１に示す例では、リング状の保持部２４２０は、耳甲介腔内に挿入されて、耳甲介腔の底面に当接している。また、保持部２４２０の内側面の一箇所には音響出力部２４５０が結合し、さらに音響出力部２４５０のハウジングの背面に連結したダクト２４６０は、珠間切痕の谷間を通過する。そして、ダクト２４６０が珠間切痕の谷間に引っ掛かるようにして、保持部２４２０が珠間切痕若しくは耳珠の内壁に係止されることで、収音装置２４００は、耳介に好適に装着される。【００９９】
また、耳甲介腔内に挿入された保持部２４２０が図３１に示すように珠間切痕若しくは耳珠の内壁に係止された状態では、音響出力部２４５０のハウジングの前面には、外耳道の入り口を向くように音響出力孔２４５１が穿設されていると理解されたい。【０１００】
収音装置２４００をユーザの耳甲介腔に装着したときに、音響出力部２４５０の音響出力孔と、収音部２４１０の収音孔であるマイク孔２４１１との相対位置が一定に保たれる、という点を理解されたい。また、収音装置２４００をユーザの耳甲介腔に装着したときに、音響出力部２４５０の音響出力孔は、収音部２４１０の収音孔であるマイク孔２４１１よりも、ユーザの耳穴の外側に配置される、という点を理解されたい。マイク孔２４１１は、基本的には、リング体２４２１の開口のほぼ中央に配設されている。【０１０１】
ダクト２４６０は、不要な音響を排出する排出部を兼用するという観点から、内径がなるべく大きいことが好ましい。他方、図３１に示したように、ダクト２４６０は珠間切痕の谷間を通過する。このため、ダクト２４６０の外径を珠間切痕の間隙（例えば３．６ミリメートル）以上にすると、珠間切痕の谷間が広げられるためユーザの耳に圧迫感を与えることが懸念される。【０１０２】
保持部２４２０は、リング状すなわち中抜き構造であり、内側のほとんどすべてが開口部となる。また、小型の音響出力部２４５０のハウジングは保持部２４２０の内側面の一箇所と結合しているが、保持部２４２０の開口を阻害しない。したがって、音響出力部２４５０が一体となった収音装置２４００全体が耳甲介腔内に挿入されている状態でも、ユーザの耳穴を塞ぐことはない。すなわち、ユーザの耳穴は開放されており、音響出力部２４５０付きの収音装置２４００は耳穴開放型であり、音響透過性を有すると言うことができる。【０１０３】
音響出力部２４５０は、耳甲介腔内に配設されるので、その出力を小さくしても、音響出力孔２４５１で十分な音質を得ることができる。したがって、音響出力部２４５０の発生音の外部への漏れを防止することができる。【０１０４】
また、音響出力孔２４５１から放出される空気振動の指向性も、音漏れの防止に寄与する。音響出力孔２４５１から外耳道の内部に向けて空気振動が放出される。外耳道は、Ｓ字のカーブを描く筒状をした閉空間であり、一般的におよそ２５〜３０ミリメートルの長さがある。音響出力孔２４５１から外耳道の奥に向かって放出された空気振動は、指向性を以って鼓膜まで到達すると、一部は反射する。また、空気振動は外耳道内では音圧が上がることから、とりわけ低域の感度（ゲイン）が向上する。他方、外耳道の外側すなわち外界は開空間である。このため、音響出力孔２４５１から外耳道の外に放出された空気振動は、外界に放たれると指向性がなくなり、急峻に減衰する。リング状の保持部２４２０が珠間切痕で係止された状態では、音響出力孔２４５１は、外耳道入り口付近ではなく、むしろ耳甲介腔に対向していることが好ましい。【０１０５】
音響出力部２４５０付きの収音装置２４００を、収音部２４１０単体で使用した場合、実施例１で説明したように、収音部２４１０が耳穴開放型で音響透過性を有することから、外耳道の形状や鼓膜からの反射音を考慮したバイノーラル録音や頭部伝達関数の計算、バーチャル音像定位を実現することができる。また、音響出力部２４５０による音声再生時に収音部２４１０を同時に利用することで、外耳道の形状や鼓膜からの反射音を考慮したノイズ・キャンセルを実現することができる。【０１０６】
また、音響出力部２４５０付きの収音装置２４００は、音響出力部２４５０単体としても、耳穴開放型であるという特徴がある。したがって、収音装置１１００と同様に、上述した利点（１）〜（４）を有する。【０１０７】
参考のため、耳介の構造について、図３４を参照しながら説明しておく。耳介の構造を大まかに言うと、外側から順に、耳輪、対耳輪、耳甲介、耳珠がある。また、耳珠の外側には、対となる突起である対耳珠がある。耳珠と対耳珠の間にある切れ込みが、珠間切痕である。また、耳介の下端は、耳垂である。【０１０８】
耳輪は、耳の最外周で、耳の輪郭を形成する部位である。耳輪は、耳介の中央付近（外耳道入り口の上付近）で内側に向かって湾曲した後は、耳介の中央付近をほぼ水平に通過し、耳甲介を上下に分割する突起をなしている。耳輪脚は耳輪が耳介の内側に向かって湾曲する付近であり、耳輪根は耳輪脚のさらに耳甲介に入り込んでくる部分である。【０１０９】
対耳輪は、対耳珠から上方に向かう稜線であり、耳甲介の縁にも相当する。対耳輪をなす稜線は二股に分かれ、上の枝は対耳輪上脚と言い、三角窩の上側の辺に相当する。また、下の枝は対耳輪下脚と言い、三角窩の下側の辺に相当する。【０１１０】
耳甲介は、耳の中央の、最も窪んだ部分であり、耳輪根を境に、上半分の細長い窪みからなる耳甲介艇と、下半分の耳甲介腔に分かれる。また、耳甲介腔の耳珠付近に、外耳道入り口がある。【０１１１】
三角窩は、対耳輪上脚と対耳輪下脚と耳輪を三辺とする三角形の窪みである。また、舟状窩は、対耳輪と耳輪の間にある、耳介全体で言うと上外側の部分にある窪みである。
【産業上の利用可能性】
【０１１２】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１１３】
本明細書で開示する技術を適用した収音装置並びに音響出力機能付き収音装置は、ユーザの耳に装着して用いられるが、「耳穴開放型」という点で従来のバイノーラル・マイクやイヤホンとは大いに異なる。したがって、本明細書で開示する技術を適用した収音装置は、装着状態においても非装着状態と同等の周囲音の聴取特性を実現しつつ、外耳道の内壁での回折や反射や鼓膜からの反射の影響をも考慮した精密なバイノーラル録音や、外耳道の形状や鼓膜からの反射音の影響をも考慮して、音の変化を表現した精度の高い頭部伝達関数を求めることが可能である。また、このような収音装置を耳に装着した状態においても、周囲の人々からはユーザの耳穴を塞いでいないように見える、といった特徴がある。【０１１４】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。【０１１５】
なお、本明細書の開示の技術は、以下のような構成をとることも可能である。
（１）収音部と、
音響透過部を有し、前記収音部をユーザの外耳道内で保持する保持部と、
を具備する収音装置。
（２）前記保持部は、前記音響透過部としての開口部を有するリング体と、一端が前記リング体に連結されるとともに他端で前記収音部を支持する１以上のアームからなる、
上記（１）に記載の収音装置。
（３）前記リング体は、ユーザの耳甲介腔に挿入され、珠間切痕付近で係止される、
上記（２）に記載の収音装置。
（４）前記保持部は、前記音響透過部としての通気部を有する弾性部材からなる、
上記（１）に記載の収音装置。
（５）前記保持部は、前記音響透過部としての開口部を有する星状体と、一端が前記星状体に連結されるとともに他端で前記収音部を支持する１以上のアームからなる、
上記（１）に記載の収音装置。
（６）前記保持部は、マイク孔を外耳道の外側に向けて前記収音部を保持する、
上記（１）乃至（５）のいずれかに記載の収音装置。
（７）前記保持部は、マイク孔が外耳道の入り口より奥側となるように前記収音部を保持する、
上記（１）乃至（６）のいずれかに記載の収音装置。
（８）音響出力部をさらに備える、
上記（１）乃至（７）のいずれかに記載の収音装置。
（９）前記収音装置をユーザの耳に装着したときに、前記音響出力部の音響出力孔と前記収音部の収音孔との相対位置は一定に保たれる、
上記（８）に記載の収音装置。
（１０）前記収音装置をユーザの耳に装着したときに、前記音響出力部の音響出力孔は前記収音部の収音孔よりも耳穴の外側に配置される、
上記（８）又は（９）のいずれかに記載の収音装置。
（１１）前記音響出力部は、音響発生部と、前記音響発生部が発生する音響を一端から取り込んで他端まで伝搬する中空構造の音導部を備える、
上記（８）又は（１０）のいずれかに記載の収音装置。
（１２）前記音響発生部はユーザの耳の背面に配設され、
前記音導部の前記一端は前記音響発生部に接続され、
前記音導部の前記他端の音響出力孔は前記保持部によりユーザの耳介内で保持される、
上記（１１）に記載の収音装置。
（１３）前記音導部は、前記他端付近で珠間切痕に挿通される、
上記（１２）に記載の収音装置。
（１４）前記音響出力部は、リング体からなる前記保持部の一部と一体化される、
上記（８）又は（１０）のいずれかに記載の収音装置。
（１５）前記音響出力部のハウジングは、前記リング体がユーザの耳甲介腔に挿入された状態で、外耳道の入り口の方向に突設し先端に音響出力孔を有する音導部を備える、
上記（１４）に記載の収音装置。
（１６）前記音響出力部は、リング体からなる前記保持部の内側面に結合される、
上記（８）又は（１０）のいずれかに記載の収音装置。
（１７）前記音響出力部のハウジングの前面側に配設された音響出力孔をさらに備える、
上記（１６）に記載収音装置。
（１８）前記音響出力部のハウジングの背面に排気部をさらに備える、
上記（１４）又は（１７）のいずれかに記載の収音装置。
（１９）前記排気部は、ハウジングの背面側から珠間切痕を通過して耳介の外に排気孔を有する、
上記（１８）に記載の収音装置。
（２０）前記排気部内に挿通された信号線をさらに備える、
上記（１８）又は（１９）のいずれかに記載の収音装置。
【符号の説明】
【０１１６】
１００…収音装置
１１０…収音部、１１１…マイク孔
１２１…リング体、１２２〜１２４…アーム  
７００…収音装置
７１０収音部、７１１…マイク孔
７２０…保持部
９００…収音装置
９１０…収音部、９１１…マイク孔
９２１…星状体、９２２〜９２６…アーム
１１００…（音響出力機能付き）収音装置
１１１０…収音部、１１１１…マイク孔
１１２１…リング体、１１２２、１１２３…アーム
１１５０…音響出力部、１１５１…音響発生部、１１５２…音導部
１６００…（音響出力機能付き）収音装置
１６１０…収音部、１６１１…マイク孔
１６２１…リング体、１６２２、１６２３…アーム
１６５０…音響出力部、１６５１…音導部
２１０１…マグネット、２１０２…ボイス・コイル
２１０３…振動板
２２０１…排気部
２４００…収音装置
２４１０…収音部、２４１１…マイク孔
２４２０…保持部
２４５０…音響出力部、２４５１…音響出力孔
２４６０…ダクト、２４６１…排気孔
【図１】
2018123252.tif 000003
【図２】
2018123252.tif 000004
【図３】
2018123252.tif 000005
【図４】
2018123252.tif 000006
【図５】
2018123252.tif 000007
【図６】
2018123252.tif 000008
【図７】
2018123252.tif 000009
【図８】
2018123252.tif 000010
【図９】
2018123252.tif 000011
【図１０】
2018123252.tif 000012
【図１１】
2018123252.tif 000013
【図１２】
2018123252.tif 000014
【図１３】
2018123252.tif 000015
【図１４】
2018123252.tif 000016
【図１５】
2018123252.tif 000017
【図１６】
2018123252.tif 000018
【図１７】
2018123252.tif 000019
【図１８】
2018123252.tif 000020
【図１９】
2018123252.tif 000021
【図２０】
2018123252.tif 000022
【図２１】
2018123252.tif 000023
【図２２】
2018123252.tif 000024
【図２３】
2018123252.tif 000025
【図２４】
2018123252.tif 000026
【図２５】
2018123252.tif 000027
【図２６】
2018123252.tif 000028
【図２７】
2018123252.tif 000029
【図２８】
2018123252.tif 000030
【図２９】
2018123252.tif 000031
【図３０】
2018123252.tif 000032
【図３１】
2018123252.tif 000033
【図３２】
2018123252.tif 000034
【図３３】
2018123252.tif 000035
【図３４】
2018123252.tif 000036
【国際調査報告】
2018123252.tif 000037
2018123252.tif 000038
2018123252.tif 000039
2018123252.tif 000040